【事件の表示】
　特願２０１０−１４６２０４号「自動取引装置」拒絶査定不服審判事件〔平成２４年　１月１２日出願公開、特開２０１２−　　８９２６号〕について、次のとおり審決する。
【結　論】
　本件審判の請求は、成り立たない。
【理　由】
第１　手続の経緯
　本件出願は、平成２２年６月２８日の特許出願であって、平成２６年４月３０日付けで拒絶をすべき旨の査定がなされた。  
　これに対し、平成２６年８月４日に該査定の取消を求めて本件審判の請求がされると同時に手続補正書が提出され、特許請求の範囲及び明細書について補正がなされた。その後、平成２７年７月２２日付けで当審から拒絶の理由が通知され、同年９月２５日に意見書とともに手続補正書が提出され、特許請求の範囲及び明細書についてさらに補正がなされたものである。
　
第２　本願発明 
　本願の請求項１ないし５に係る発明は、上記平成２７年９月２５日提出の手続補正書によって補正された特許請求の範囲の請求項１ないし５に記載された事項により特定されるとおりのものと認めるところ、その請求項１の記載は以下のとおりである。（以下請求項１に係る発明を「本願発明」という。） 
「　【請求項１】
　紙幣が投入され、又は紙幣を排出する紙幣入出金部、紙幣を鑑別する鑑別部、および前記鑑別部で鑑別された紙幣を取引が確定するまで一時的に収納する一時保留部を有する上部ユニットと、
　紙幣を金種別に収納する、それぞれ単一の双方向搬送路を設けた複数の金種別カセットおよび、出金処理で前記金種別カセットから繰出した紙幣の内、前記鑑別部でリジェクト紙幣と鑑別された紙幣、又は入金処理で紙幣入出金部に取り忘れた媒体を収納するリジェクト庫を有する下部ユニットを備えた自動取引装置であって、
　前記上部ユニット内の各部に紙幣を搬送する上部搬送路と、前記上部搬送路に一端で直接接続して前記下部ユニット内の前記金種別カセットおよび前記リジェクト庫の上方に配され、途中で分岐して前記金種別カセットあるいは前記リジェクト庫へと紙幣を搬送する下部搬送路とを設け、
　前記上部搬送路から前記下部搬送路へ搬送される紙幣は、全て共通する経路を通って前記下部搬送路に到達し、前記共通する経路を、前記下部搬送路、前記金種別カセット、および前記リジェクト庫と共に、前記下部ユニットから同一方向に引き出し可能に構成し、
　前記下部搬送路の全体を、その搬送方向に沿った支点を中心とした回動により前記金種別カセットおよび前記リジェクト庫から退避可能に構成し、
　前記リジェクト庫は、前記下部搬送路を回動させて上方から取り外すことを特徴とする自動取引装置。」
第３　引用刊行物記載の発明又は事項 
　これに対して、当審での平成２７年７月２２日付けの拒絶の理由に引用された、本件の出願日前に頒布された刊行物である特開２０１０−３９８３１号公報（刊行物２）、及び特開平２−１２５９２号公報（刊行物３）には、以下の発明又は事項が記載されていると認められる。  
１　刊行物２
（１）刊行物２に記載された事項  
　刊行物２には、「紙幣取扱装置」に関して、図面とともに、以下の事項が記載されている。なお、下線は当審で付したものである。
（ア）「【００１７】
　次に、紙幣取扱装置２００について説明する。図３は紙幣取扱装置２００の内部構造を示す側面図である。図３では図の右側が現金自動取引装置１００の正面側にあたり、図の左側が後方側にあたる。  
　
紙幣取扱装置２００
（イ）「【００１８】
　
上部紙幣機構２０２は、紙幣入出金部２１０、紙幣判別部２２０、紙幣一時収納庫２３０
　この実施例では、紙幣入出金部２１０は上部紙幣機構２０２の最前部に配置され、紙幣入出金部２１０の後部に紙幣一時収納庫２３０が配置され、紙幣一時収納庫２３０の後部に紙幣判別部２２０が配置され、紙幣判別部２２０の後部に紙幣装填回収庫２４０が配置されている。
【００１９】
　利用者は、例えば入金・振込時には
紙幣入出金部２１０に対し紙幣を投入し
紙幣入出金部２１０から紙幣を取り出す
紙幣判別部２２０
紙幣の真偽、額面の判別を行う
紙幣一時収納庫２３０
取引成立までの間、入金された紙幣を一時的に収納する
（ウ）「【００２０】
　紙幣入出金部２１０と紙幣判別部２２０とは、搬送路２５２と搬送路２５４により接続されている。搬送路２５２と搬送路２５４の中間には、下部紙幣機構２０４へ紙幣を振り分けるための紙幣振分ゲート２８２が設けられている。紙幣判別部２２０と紙幣一時収納庫２３０とは、搬送路２５６、２５８、２６０により接続されている。搬送路２５６と搬送路２５８の中間には、搬送路２６２を介して紙幣装填回収庫２４０に紙幣を振り分けるための紙幣振分ゲート２８４が設けられている。搬送路２５８と搬送路２６０の中間には、搬送路２６４を介して紙幣入出金部２１０に紙幣を振り分けるための紙幣振分ゲート２８６が設けられている。紙幣振分ゲート２８２の下部には下部紙幣機構２０４との紙幣の受渡しを行うための受渡し搬送路２６６が設けられている。少なくとも搬送路２５４、２５６、２５８、２６０、２６２、２６４は、紙幣を前後どちらの方向でも搬送することができる双方向搬送路である。」
（エ）「【００２１】
　
下部紙幣機構２０４は、リサイクル庫３１２，３１４，３１６，３１８及びリジェクト庫３２０を備えている
リサイクル庫３１２，３１４，３１６，３１８は、金種別に紙幣を収納する
リジェクト庫３２０は、入金されたが、出金に供されない紙幣を収納する
【００２２】
　
下部紙幣機構２０４は、金庫３００に囲われている
下部紙幣機構２０４を外部に引き出すため
連結部３０４
双方向搬送路
（オ）「【００２４】
　次に、紙幣取扱装置２００の入金取引処理時の動作について説明する。  
紙幣入出金部２１０に紙幣が挿入されると、紙幣取扱装置制御部３３０は、その紙幣を搬送路２５２、２５４により紙幣判別部２２０に搬送させる。さらに、紙幣取扱装置制御部３３０は、紙幣判別部２２０に実装される図示しないセンサ等によって紙幣の真偽、額面、正損状態を判別し、その判別結果を本体制御部１３０に送信する。また、紙幣取扱装置制御部３３０は、紙幣判別部２２０の後部から搬送路２５６を介して紙幣振分ゲート２８４の分岐位置に紙幣を搬送させる。さらに、紙幣取扱装置制御部３３０は、紙幣判別部２２０の結果に基づいて紙幣振分ゲート２８４で紙幣を振り分ける。また、紙幣取扱装置制御部３３０は、
受け入れ可能と判断された紙幣を、搬送路２５８、２６０を用いて紙幣一時収納庫２３０に搬送させ
【００２５】
　本体制御部１３０では、入金された紙幣の総額を、顧客操作部１２０に表示させる。顧客操作部１２０を通じて利用者から入金取引を確定した入力を受けると、紙幣取扱装置制御部３３０は、本体制御部１３０から指示を受け、紙幣一時収納庫２３０に一旦収納された紙幣を、収納時の順番とは逆の順番で、逆方向に送出させ、紙幣判別部２２０を通過させる。そして、紙幣取扱装置制御部３３０は、紙幣振分ゲート２８２を用いて紙幣の搬送方向を、受渡し搬送路２６６の方向に変えさせる。その後、紙幣取扱装置制御部３３０は、搬送路２６８及び紙幣振分ゲート２８８，２９０，２９２，２９４，２９６を振分操作して、リサイクル庫３１２，３１４，３１６，３１８及びリジェクト庫３２０の何れかに紙幣を収納させる。これにより入金取引処理は終了する。」
（カ）「【００２６】
　次に、紙幣取扱装置２００の出金取引処理時の動作について説明する。  
利用者から所定の額の出金の指示を受けると、本体制御部１３０は、紙幣取扱装置制御部３３０に対し、紙幣の紙幣入出金部２１０への搬送を指示する。紙幣取扱装置制御部３３０は、リサイクル庫３１２，３１４，３１６，３１８に対し、所定の枚数ずつ紙幣を繰り出させ、搬送路２６８に導かれた紙幣を紙幣振分ゲート２８８を用いて紙幣の搬送方向を受渡し搬送路２６６の方向に変えさせた後、搬送路２５４を用いて紙幣判別部２２０に搬送させる。
【００２７】
　紙幣取扱装置制御部３３０は、紙幣判別部２２０を用いて、紙幣の真偽、額面、正損状態を判別する。紙幣取扱装置制御部３３０は、出金可能と判断された紙幣は、紙幣振分ゲート２８４、２８６を用いて振り分け、紙幣入出金部２１０に搬送させ、出金不可と判断された紙幣は、紙幣振分ゲート２８４を用いて搬送路２６２方向に振り分け、紙幣装填回収庫２４０に収納させる。紙幣の搬送動作が終了すると、本体制御部１３０はシャッタ２１２を開け、利用者が紙幣を取ることができるようにする。これにより出金取引処理は終了する。」
（キ）「【００２８】
　図５、図６を用いて連結部３０４に構成される受渡し搬送路２６６について説明する。図５は、図３における矢印２０１方向から見た受渡し搬送路２６６を一部省略して示す斜視図である。図６は図５の矢印５０７方向から見た受渡し搬送路２６６の要部縦断面図である。
【００２９】
　上部紙幣機構２０２は、受渡し搬送路２６６の上面側と接続対応する位置に、左右一対の紙幣ガイド部材５００、５０１と、突起部５０２と、左右一対のローラ５１５とを備えている。・・・（中略）・・・
【００３０】
　ローラ５１５は、左右に対向して配置され、紙幣を左右両側から挟持して搬送する一対の搬送ローラである。該ローラ５１５は少なくとも一方が図示しない駆動軸と連結されており、駆動軸からの回転駆動力を受けて回転し、これらのローラ５１５間で紙幣５２１を搬送する。さらに、該ローラ５１５により受渡し搬送路２６６から搬送されてきた紙幣を受け取って上部紙幣機構２０２内へ取り込み、また逆に上部紙幣機構２０２から受渡し搬送路２６６へ紙幣を送り出す。また、駆動軸に動力が伝達されていない時には、ローラ５１５は回転停止して紙幣５２１の搬送を待機している。」
（ク）上記記載事項（ウ）に「紙幣入出金部２１０と紙幣判別部２２０とは、搬送路２５２と搬送路２５４により接続されている。・・・紙幣判別部２２０と紙幣一時収納庫２３０とは、搬送路２５６、２５８、２６０により接続されている。」とあるところ、これら「搬送路２５２と搬送路２５４」及び「搬送路２５６、２５８、２６０」は、上部紙幣機構２０２内の搬送路であるから、これらをまとめて、上部紙幣機構２０２内の各部に紙幣を搬送する上部搬送路、ということができる。
（ケ）上記記載事項（エ）に「受渡し搬送路２６６は、搬送路２６８を介して、リサイクル庫３１２，３１４，３１６，３１８及びリジェクト庫３２０と接続されている。」とあり、また、図３に示される位置関係を照らし併せれば、該「搬送路２６８」は、下部紙幣機構２０４内のリサイクル庫３１２、３１４、３１６、３１８およびリジェクト庫３２０の上方に配され、途中で分岐してリサイクル庫３１２、３１４、３１６、３１８あるいはリジェクト庫３２０へと紙幣を搬送する下部搬送路２６８、ということができる。
（コ）上記記載事項（エ）に「開口部３０２には、連結部３０４が配置されている。この連結部３０４内には、上述した受渡し搬送路２６６が通っている。受渡し搬送路２６６は、搬送路２６８を介して、リサイクル庫３１２，３１４，３１６，３１８及びリジェクト庫３２０と接続されている。」とあることから、上部搬送路から下部搬送路２６８へ搬送される紙幣は、全て共通する受渡し搬送路２６６を通って下部搬送路２６８へ搬送されるものと認められる。
（サ）上記記載事項（エ）に「上下方向に貫通する開口部３０２が空けられている。開口部３０２には、連結部３０４が配置されている。この連結部３０４内には、上述した受渡し搬送路２６６が通っている。」とあることなどから、上記認定事項（ク）で認定した「上部搬送路」は、連結部３０４内の受渡し搬送路２６６を介して下部搬送路２６８と接続している、といえる。
（シ）上記記載事項（エ）に「下部紙幣機構２０４は、金庫３００に囲われている。この金庫３００の一側壁には、該金庫３００から下部紙幣機構２０４を外部に引き出すための側面扉３４０が備えられている。」とあるところ、「リサイクル庫３１２，３１４，３１６，３１８及びリジェクト庫３２０を備えている」「下部紙幣機構２０４」が外部に引き出される際には、搬送路２６８も共に引き出されるものと認められるから、下部搬送路２６８、リサイクル庫３１２、３１４、３１６、３１８、およびリジェクト庫３２０と共に、下部紙幣機構２０４を囲む金庫３００から同一方向に引き出し可能に構成されている、ということができる。
（２）刊行物２発明 
　そこで、刊行物２の上記記載事項（ア）ないし（キ）及び上記認定事項（ク）ないし（シ）を図面を参照しつつ技術常識を踏まえて整理すると、刊行物２には以下の発明が記載されていると認められる。（以下「刊行物２発明」という。）
「紙幣が投入され、又は紙幣を排出する紙幣入出金部２１０、紙幣の真偽、額面の判別を行う紙幣判別部２２０、および前記紙幣判別部２２０で判別された紙幣を取引成立までの間、一時的に収納する紙幣一時収納庫２３０を有する上部紙幣機構２０２と、
　紙幣を金種別に収納する、それぞれ単一の双方向搬送路を設けたリサイクル庫３１２、３１４、３１６、３１８および、入金されたが、出金に供されない紙幣を収納するリジェクト庫３２０を有する金庫３００を備えた紙幣取扱装置２００であって、
　前記上部紙幣機構２０２内の各部に紙幣を搬送する上部搬送路と、前記上部搬送路と連結部３０４内の受渡し搬送路２６６を介して接続して前記金庫３００内の前記リサイクル庫３１２、３１４、３１６、３１８および前記リジェクト庫３２０の上方に配され、途中で分岐して前記リサイクル庫３１２、３１４、３１６、３１８あるいは前記リジェクト庫３２０へと紙幣を搬送する下部搬送路２６８とを設け、
　前記上部搬送路から前記下部搬送路２６８へ搬送される紙幣は、全て共通する受渡し搬送路２６６を通って前記下部搬送路２６８に到達し、前記下部搬送路２６８、前記リサイクル庫３１２、３１４、３１６、３１８、および前記リジェクト庫３２０からなる下部紙幣機構２０４を、金庫３００から同一方向に引き出し可能に構成した紙幣取扱装置２００。」
　
２　刊行物３
（１）刊行物３に記載された事項  
　刊行物３には、「自動取引装置」に関して、図面とともに、以下の事項が記載されている。なお、下線は当審で付したものである。
（ア）特許請求の範囲
「（１）投入された紙幣を搬送する搬送手段と、この搬送手段により搬送されてきた紙幣を収納するとともに装置本体に着脱自在に設けられた金庫カセットと、この金庫カセットの上面に突出自在に設けられた取手とを具備したことを特徴とする
自動取引装置
（イ）
「また、第１図は金庫カセット１，２，３の斜め外観斜視図で、その上面部は搬送路５の一部を構成する紙幣搬送面２４となっており、集積ローラ９および取出ローラ１０の外周部の一部が前記紙幣搬送面２４から露出するようになっている。
　なお、前記紙幣搬送面２４にはガイドローラ２５・・・が配置されていて、搬送路５に設けられた送りローラ６・・・と転接した状態となっている。」（明細書第２ページ右下欄第１３〜２０行）
（ウ）
「しかして、金庫カセット１，２，３を取り出す場合には、まず、第３図に示すように、入出金装置１１の本体１２の
搬送部５を上方へ回動する
　ついで、第４図および第７図に示すように、金庫カセット１，２，３の凹部２７に嵌合していた取手２６を手で上方に起立させ
金庫カセット１，２，３を上部に引き出す
（２）刊行物３事項
　刊行物３の上記記載事項アないしウを技術常識を踏まえて整理すると、刊行物３には以下の事項が記載されていると認められる。（以下「刊行物３事項」という。）  
 「搬送部５を、上方へ回動することにより金庫カセット１、２、３から退避可能に構成し、金庫カセット１、２、３を、搬送部５を回動させて上部に引き出す自動取引装置。」  
第４　対比 
　本願発明と刊行物２発明とを対比すると、刊行物２発明の「紙幣入出金部２１０」が本願発明の「紙幣入出金部」に相当することは、その機能に照らして明らかであり、以下同様にそれぞれの機能及び技術常識を踏まえれば、「紙幣の真偽、額面の判別を行う」「紙幣判別部２２０」は「紙幣を鑑別する」「鑑別部」に、「判別された」は「鑑別された」に、「取引成立までの間、一時的に収納する」は「取引が確定するまで一時的に収納する」に、「紙幣一時収納庫２３０」は「一時保留部」に、「上部紙幣機構２０２」は「上部ユニット」に、「リサイクル庫３１２、３１４、３１６、３１８」は「複数の金種別カセット」又は「金種別カセット」に、「リジェクト庫３２０」は「リジェクト庫」に、「紙幣取扱装置２００」は「自動取引装置」に、「下部搬送路２６８」は「下部搬送路」に、「全て共通する受渡し搬送路２６６を通って」は「全て共通する経路を通って」に相当することも明らかである。  
　また、刊行物２発明の「金庫３００」は機能的・構造的に本願発明の「下部ユニット」に相当し、刊行物２発明の「前記下部搬送路２６８、前記リサイクル庫３１２、３１４、３１６、３１８、および前記リジェクト庫３２０からなる下部紙幣機構２０４」は、それらを機能的にみて、本願発明の「前記下部搬送路、前記金種別カセット、および前記リジェクト庫」を合わせたものに該当するといえる。  
　次に、刊行物２発明の「入金されたが、出金に供されない紙幣を収納するリジェクト庫３２０」は、本願発明の「出金処理で前記金種別カセットから繰出した紙幣の内、前記鑑別部でリジェクト紙幣と鑑別された紙幣、又は入金処理で紙幣入出金部に取り忘れた媒体を収納するリジェクト庫」と、「リジェクト紙幣と鑑別された紙幣等を収納するリジェクト庫」、である点において共通する。
　そして、刊行物２発明の「上部搬送路と連結部３０４内の受渡し搬送路２６６を介して接続」される「下部搬送路２６８」は、本願発明の「上部搬送路に一端で直接接続」される「下部搬送路」と、「上部搬送路と接続される下部搬送路」、である限りにおいて共通する。
　したがって、本願発明と刊行物２発明とは、以下の点で一致しているということができる。 
＜一致点＞ 
「紙幣が投入され、又は紙幣を排出する紙幣入出金部、紙幣を鑑別する鑑別部、および前記鑑別部で鑑別された紙幣を取引が確定するまで一時的に収納する一時保留部を有する上部ユニットと、
　紙幣を金種別に収納する、それぞれ単一の双方向搬送路を設けた複数の金種別カセットおよび、リジェクト紙幣と鑑別された紙幣等を収納するリジェクト庫を有する下部ユニットを備えた自動取引装置であって、
　前記上部ユニット内の各部に紙幣を搬送する上部搬送路と、前記上部搬送路と接続して前記下部ユニット内の前記金種別カセットおよび前記リジェクト庫の上方に配され、途中で分岐して前記金種別カセットあるいは前記リジェクト庫へと紙幣を搬送する下部搬送路とを設け、
　前記上部搬送路から前記下部搬送路へ搬送される紙幣は、全て共通する経路を通って前記下部搬送路に到達し、前記下部搬送路、前記金種別カセット、および前記リジェクト庫を、前記下部ユニットから同一方向に引き出し可能に構成した自動取引装置。」 
　
　そして、本願発明と刊行物２発明とは、以下の４点で相違している。 
＜相違点１＞
　「リジェクト紙幣と鑑別された紙幣等を収納するリジェクト庫」に関し、本願発明は、（１）出金処理で前記金種別カセットから繰出した紙幣の内、前記鑑別部でリジェクト紙幣と鑑別された紙幣、又は（２）入金処理で紙幣入出金部に取り忘れた媒体を収納するリジェクト庫であるのに対し、刊行物２発明は、入金されたが、出金に供されない紙幣を収納するリジェクト庫３２０である点。
＜相違点２＞ 
　本願発明は、上部搬送路と下部搬送路とを一端で直接接続するのに対し、刊行物２発明は、上部搬送路と下部搬送路２６８とを、連結部３０４内の受渡し搬送路２６６を介して接続する点。
＜相違点３＞
　本願発明は、共通する経路を、下部搬送路、金種別カセット、およびリジェクト庫と共に下部ユニットから同一方向に引き出し可能に構成しているのに対し、刊行物２発明は、下部搬送路、金種別カセット（リサイクル庫）、およびリジェクト庫からなる下部紙幣機構２０４を、下部ユニット（金庫３００）から同一方向に引き出し可能に構成しているものの、共通する経路も共に引き出し可能とするものか明らかでない点。
＜相違点４＞
　本願発明は、下部搬送路の全体を、その搬送方向に沿った支点を中心とした回動により前記金種別カセットおよび前記リジェクト庫から退避可能に構成し、リジェクト庫は、前記下部搬送路を回動させて上方から取り外すのに対し、刊行物２発明は、そのようなものか不明である点。
第５　相違点の検討 
１　＜相違点１＞について
　相違点１に係る本願発明の構成は、（１）出金処理で前記金種別カセットから繰出した紙幣の内、前記鑑別部でリジェクト紙幣と鑑別された紙幣、
又は
　まず、選択的特定の一方である（１）リジェクトが「出金処理で前記金種別カセットから繰出した紙幣の内、前記鑑別部でリジェクト紙幣と鑑別された紙幣」を収納するリジェクト庫である構成について検討する。
　刊行物２発明のリジェクト庫３２０は、「入金されたが、出金に供されない紙幣を収納する」ものであるところ、上記記載事項第３の１（１）（オ）などを参酌するに、これは入金処理段階でリジェクトすべき紙幣を「出金に供されない紙幣」として、リジェクト庫３２０に収納すると考えるのが自然ではある。しかしながら、刊行物２には、「紙幣取扱装置制御部３３０は・・・出金不可と判断された紙幣は、紙幣振分ゲート２８４を用いて・・・紙幣装填回収庫２４０に収納させる。」とあり（上記記載事項第３の１（１）（カ））、出金処理でリジェクト紙幣を鑑別することも示唆されているので、該示唆に基づいて、出金処理でリジェクト紙幣を鑑別し、これをリジェクト庫に収容することとし、相違点１の選択的特定の一方（１）の構成とすることも、当業者が容易になし得たことといえる。
　次に、選択的特定の他方である（２）リジェクトが「入金処理で紙幣入出金部に取り忘れた媒体を収納するリジェクト庫」である構成について検討する。原審の平成２６年４月３０日付拒絶査定においても指摘されたように、リジェクト庫に入金処理で紙幣入出金部に取り忘れた媒体を収納することは、例えば、当審の拒絶理由通知においても引用した特開２００７−２６０１４号公報（段落【００１６】等参照）に示されるように従来周知の技術事項である。そして、刊行物２発明にかかる従来周知の技術事項を適用して、相違点１の選択的特定の他方（２）の構成とすることも、格別困難なことではない。
　そうしてみると、相違点１に係る本願発明の選択的特定（１）及び（２）の両方、さもなくとも少なくとも一方は、当業者が容易に想到し得たものということになる。
２　＜相違点２＞について
　一般に搬送路を接続するに際しては、これを一端で直接接続することは最も基本的な接続形態と考えられるところ、例えば、特開平５−３０３６７３号公報（図１，図３等参照）に示されるように技術常識というべきものである。そして、刊行物２発明にかかる技術常識を適用して相違点２に係る本願発明の構成とすることは、何ら困難なことではない。
３　＜相違点３＞について
　本願発明における「共通する経路」とは、「上部搬送路から前記下部搬送路へ搬送される紙幣」が「全て」「通」る経路であるところ、刊行物２発明においても、そのような共通する経路たる「受渡し搬送路２６６」の少なくとも一部が、下部搬送路２６８等と共に引き出し可能であることは構造上明らかである。よって、相違点３は実質的な差異ではない。
　仮に、相違点３が実質的な差異であるとしても、上記２にて検討したように本願発明の相違点２に係る構成、すなわち、搬送路を一端で直接接続することは想到容易であるところ、刊行物２発明をそのように構成した場合、「受渡し搬送路２６６」に相当する共通する経路が下部搬送路２６８等と共に引き出し可能となるから、相違点３も想到容易ということになる。  
４　＜相違点４＞について
　刊行物２発明は、下部搬送路２６８、リサイクル庫３１２、３１４、３１６、３１８、およびリジェクト庫３２０からなる下部紙幣機構２０４を、金庫３００から同一方向に引き出し可能に構成したものであるが、そのように下部紙幣機構２０４を引き出し可能に構成するのは、リサイクル庫及びリジェクト庫にアクセスして、紙幣の取り出し・補充や庫のメンテナンスを行うためであると通常考えられ、そのためには、下部紙幣機構２０４全体を単に引き出すだけでなく、リサイクル庫及びリジェクト庫に何らかの手段でアクセスできるようになっていなければならないことは当然である。
　ところで、上記第３の２（２）にて述べたように、刊行物３事項は、「搬送部５を、上方へ回動することにより金庫カセット１、２、３から退避可能に構成し、金庫カセット１、２、３を、搬送部５を回動させて上部に引き出す自動取引装置。」というものであるところ、これを本願発明の用語で表現すれば、刊行物３事項の「搬送部５」は「搬送路」と表現でき、同様に「金庫カセット１、２、３」は「金種別カセット」と表現できる。したがって、刊行物３事項は、「搬送路を、上方へ回動することにより金種別カセットから退避可能に構成し、金種別カセットを、搬送路を回動させて上部に引き出す自動取引装置。」と言い改めることができる。 
　ここで、刊行物２発明と刊行物３事項は、いずれも、紙幣を取り扱う装置である点で技術分野が共通しており、上述した刊行物２発明におけるリサイクル庫及びリジェクト庫へのアクセス手段として、刊行物２発明に刊行物３事項を適用することを試みることは、格別困難ではない。そうした場合、下部搬送路（下部搬送路２６８）の全体を、上方へ回動することにより金種別カセット（リサイクル庫）およびリジェクト庫から退避可能に構成し、リジェクト庫は、下部搬送路を回動させて上方から取り外すこととなる。その上で、さらに、下部搬送路（下部搬送路２６８）を搬送方向に沿った支点を中心とした回動とすることも、枢軸方向の選択という単なる設計的事項として当業者が容易になし得ることである。
　そうしてみると、相違点４に係る本願発明の構成も、刊行物２発明に刊行物３事項を適用することによって、当業者が容易に想到し得たものと解するのが相当である。
５　小括
　したがって、本願発明は、刊行物２発明、刊行物３事項、従来周知の技術事項及び技術常識に基づいて当業者が容易に発明をすることができたものである。 
第６　むすび 
　以上のとおり、本願発明は、刊行物２発明、刊行物３事項、従来周知の技術事項及び技術常識に基づいて、当業者が容易に発明をすることができたものであって、特許法第２９条第２項の規定により特許を受けることができないものであるから、本願は拒絶されるべきものである。 
　よって、結論のとおり審決する。